(57)【特許請求の範囲】
【請求項１】
複数の受信した画像情報を蓄積する蓄積手段と、
前記受信画像情報を記録紙に記録する記録手段と、
前記蓄積手段に蓄積された画像情報の記録をオペレータが指示する記録指示手段と、
前記記録指示手段による記録指示に応じて、前記蓄積手段に蓄積された画像情報の中で、未記録の画像情報があるか否かを判定する判定手段と、
前記判定手段により前記未記録画像情報があると判定された場合、前記蓄積手段に蓄積されている未記録画像情報のみを前記記録手段に記録させ、前記判定手段により前記未記録画像情報がないと判定された場合、前記蓄積手段に蓄積されているすべての画像情報を前記記録手段に記録させる制御手段とを有するファクシミリ装置。
【請求項２】
複数の受信した画像情報を蓄積し、前記受信画像情報を記録紙に記録する際、
前記蓄積された画像情報の記録をオペレータが指示し、
前記記録指示に応じて、前記蓄積された画像情報の中で、未記録の画像情報があるか否かを判定し、
前記未記録画像情報があると判定された場合、前記蓄積されている未記録画像情報のみを記録させ、前記未記録画像情報がないと判定された場合、前記蓄積されているすべての画像情報を記録させることを特徴とする記録方法。
【発明の詳細な説明】
【０００１】
【発明の属する技術分野】
本発明は、ファクシミリ装置および記録方法に関する。
【０００２】
【従来の技術】
従来、ファクシミリ装置ではメモリ受信したファクシミリ画像を一旦記録すると、メモリから自動的にその画像を消去していた。また、最近では家庭でファクシミリ装置が使われることが増えてきている。
【０００３】
【発明が解決しようとする課題】
しかしながら、家庭で複数の人によってファクシミリ装置が共用される場合、特定の人宛にメモリ受信されたファクシミリ画像を他の人が記録してしまうことがある。メモリ受信したファクシミリ画像が一旦記録されると消去されてしまうので、記録したものを他の人が保持して後でその特定の人に見せればよいが、破棄してしまうと特定の人はファクシミリ画像を受信したことすら知らないといったことが起こる。例えば、息子宛に恋人からデートの待ち合わせについてのファクシミリ画像を受信したとしても、母親が記録してそれを捨ててしまうと、その息子には恋人からのメッセージが伝わらなくなってしまう。
【０００４】
また、家庭用のファクシミリ装置には低価格のものが多く、例えばインクジェット記録方式を用いたファクシミリ装置では、インク残量を検知する機能を有していないので、インクの残量が少なくなってきたときに記録を禁止することができない。このため、記録中にインクが無くなくなると、最後まで記録できないばかりか記録動作終了後にインクを補充してもう一度同じファクシミリ画像を記録しようとしても、メモリからファクシミリ画像が消去されてしまっているので、記録できないといったことが起こる。
【０００５】
一方、メモリ受信したファクシミリ画像を記録した後に自動で消去する代わりに、ユーザの操作により記録動作とは別に一件毎に消去することも考えられるが、消去する操作が煩わしくなってしまう。また、消去する操作を簡単にするために、メモリ受信したファクシミリ画像を一括で消去することも考えられるが、未記録のファクシミリ画像まで消去されてしまうおそれがある。
【０００６】
そこで、記録済みの画像情報を自動的に消去せずにメモリに蓄積しておくことが考えられる。ところが、この場合メモリ内には記録済みの画像情報と、未記録の画像情報が混在することとなるので、１件ずつ記録済みの画像情報であるか未記録の画像情報であるか確認しながら記録しなければならず、非常に面倒であることが考えられる。
【０００８】
そこで、本発明はメモリに蓄積した画像情報の中で、未記録画像情報を一括記録するか記録済みの画像情報を一括して記録するかをユーザの意思により選択するファクシミリ装置および記録方法を提供することを目的とする。
【０００９】
【課題を解決するための手段】
上記目的を達成するために、本発明の請求項１に記載のファクシミリ装置は、複数の受信した画像情報を蓄積する蓄積手段と、前記受信画像情報を記録紙に記録する記録手段と、前記蓄積手段に蓄積された画像情報の記録をオペレータが指示する記録指示手段と、前記記録指示手段による記録指示に応じて、前記蓄積手段に蓄積された画像情報の中で、未記録の画像情報があるか否かを判定する判定手段と、前記判定手段により前記未記録画像情報があると判定された場合、前記蓄積手段に蓄積されている未記録画像情報のみを前記記録手段に記録させ、前記判定手段により前記未記録画像情報がないと判定された場合、前記蓄積手段に蓄積されているすべての画像情報を前記記録手段に記録させる制御手段とを有する。
【００１３】
請求項２に記載の記録方法は、複数の受信した画像情報を蓄積し、前記受信画像情報を記録紙に記録する際、前記蓄積された画像情報の記録をオペレータが指示し、前記記録指示に応じて、前記蓄積された画像情報の中で、未記録の画像情報があるか否かを判定し、前記未記録画像情報があると判定された場合、前記蓄積されている未記録画像情報のみを記録させ、前記未記録画像情報がないと判定された場合、前記蓄積されているすべての画像情報を記録させることを特徴とする。
【００２４】
【発明の実施の形態】
本発明のファクシミリ装置および記録方法の実施の形態について説明する。
【００２５】
［全体構成］
図１は実施の形態におけるファクシミリ装置の構成を示すブロック図である。本実施の形態におけるファクシミリ装置は留守番電話機能を有する。図において、１１はＣＰＵであり、ファクシミリ装置全体の制御を行う。１２はＲＯＭ、１３は変復調装置（モデム）、１４は網制御装置（ＮＣＵ）、１５は留守番電話機、１７はスピーカである。
【００２６】
１８はファクシミリ装置に付属で接続されるコードレス電話（子機）（図示せず）のベースユニットであり、複数台接続することができる。１６は留守番電話機１５、スピーカ１７およびベースユニット１８のいずれかとＮＣＵ１４との接続を切り換える切換器（クロスポイント）である。
【００２７】
１９は原稿を送信したりコピーしたりする時に原稿を走査する読取部、２０はゲートアレイである。２２はユーザがファクシミリ装置を操作するためのさまざまなキーが配置されている操作部である。２３は表示部であり、ユーザに対するさまざまな情報を表示する。
【００２８】
２１は操作部２２および表示部２３をゲートアレイ２０に接続するパネルゲートアレイである。２４はファクシミリ通信で相手側から送られてきた受信画像やコピー画像を記録紙に記録する記録部である。記録方式としてインクジェット記録方式、レーザビーム記録方式、感熱記録方式等が挙げられる。インクジェット記録方式やレーザビーム記録方式の場合、モノクロ用カートリッジだけでなくカラー用カートリッジを使用することもできるが、本実施の形態ではカラー用カートリッジを用いた場合でもファクシミリ画像を記録するときにはモノクロ印字を行う。以下、本実施の形態では、記録部２４はインクジェット記録方式で記録する場合について説明する。
【００２９】
２５は受信画像やコピー画像を記録するときに一時的に所定量の画像データを保持するＤＲＡＭである。２６はフラッシュメモリであり、自動受信のときや記録紙がないときにユーザが記録紙を補充してプリント動作を行うまで受信画像を記憶したり、あるいは留守番電話モードのときに相手の用件を録音しておくためのものであり、本体および留守番電話機１５の双方で使用される。
【００３０】
２７は記録部２４にセットされるインクカートリッジの有無を検出したり、その種類を検出するカートリッジセンサである。尚、レーザビーム記録方式の場合、トナーカートリッジの有無を検出する。２８は記録紙センサ、２９は電話回線である。
【００３１】
［操作部２２の配置構成］
図２は操作部２２および表示部２３の外観を示す図である。表示部２３はＬＣＤ（液晶ディスプレイ）パネルであり、日時、エラー、警告、操作手順、動作状況などを表示する。表示部２３はＬＣＤパネルの代わりにＬＥＤ（発光ダイオード）パネルであってもよい。
【００３２】
３２はテンキー、３３は通話中、相手からの音声を録音したりその音声を再生したり、外出するときに他のユーザにメッセージを録音したりそのメッセージを再生する応答メッセージキーである。３４はモノクロコピーキー、３５はカラーコピーキーである。３６は本体あるいは付属のコードレス子機から別の付属のコードレス子機を呼出したり、通話中の回線を転送したりする転送／呼出キーである。
【００３３】
３７はリダイヤルキーであり、ポーズキーを兼ねる。３８はキャッチホン／短縮ダイヤルキーである。３９はオンフックキーである。４０は選択キー兼音量調節キーである（以下、音量／選択キーという）。音量／選択キー４０を選択キーとして使用する場合、まず、機能キー４４を押下する。機能キー４４を押下すると、表示部２３に「ジュシンモード」と表示される。ここで、音量／選択キー４０を押下すると、押下する度に表示部２３の表示内容が順次変わる。例えば、設定したい項目が自分の電話番号である場合、「アナタノ  デンワバンゴウ」と表示されるまで音量／選択キー４０の押下を繰り返す。一方、音量／選択キー４０を音量キーとして使用する場合、機能キー４４を押下しない。そして、電話をかけていないときに音量／選択キー４０を音量キーとして押下すると、呼び出し音量が変化し、電話をかけているときに音量／選択キー４０を音量キーとして押下すると、受話器の音量が変化する。
【００３４】
４１はフラッシュメモリ２６に記憶されているファクシミリ（受信）画像あるいは留守番電話機１５に録音されている用件を消去する消去キーである。４２は通話中の回線を一時的に保留にしたり、録音されている用件を全て再生する保留／用件再生キーである。４３は本体を留守番電話モードに設定あるいは解除するキーと留守番電話モードを解除するときに未再生の用件が録音されている場合その用件だけを再生するキーとを兼ねる留守キーである。録音された用件を再生するには、応答メッセージキー３３を操作する場合および留守キー４３を操作する場合の２通りの方法がある。
【００３５】
４５はファクシミリ送信での原稿読取時あるいはコピー記録時にスタンダード（標準）モードかファインモードかを選択するキーである。４６はストップキー、４７はファクシミリ送信あるいは手動受信を行うためのＦＡＸキーである。４８はユーザが行う操作部２２でのデータ入力を完了するときなどに用いるセットキーである。
【００３６】
尚、留守キー４３、ＦＡＸキー４７の内側には発光部（図示せず）が設けられており、留守キー４３、ＦＡＸキー４７を点滅させることが可能である。
【００３７】
［着呼時のファクシミリ装置の動作］
上記構成を有するファクシミリ装置の動作について説明する。図３、図４、図５および図６は着呼時におけるファクシミリ装置の動作処理手順を示すフローチャートである。
【００３８】
まず、相手側からの着呼があったとき、ＮＣＵ１４によりＣＩ信号を検出し（ステップＳ３０１）、本体あるいは子機の受話器がオフフックされたか否かを判別する（ステップＳ３０２）。本体あるいは子機の受話器がオフフックされると、通話モードになる（ステップＳ３４０）。
【００３９】
通話中にＦＡＸキー４７が押下されると手動受信モードに移行し（ステップＳ３４２）、受信が終了すると、ＮＣＵ１４により回線を閉じる（ステップＳ３４３）。通話中にＦＡＸキー４７が押下されずにオンフックされると（ステップＳ３４４）、通話終了であるとしてＮＣＵ１４により回線を閉じる（ステップＳ３４３）。
【００４０】
一方、ステップＳ３０２でオフフックされない場合、ＣＰＵ１１は本体が留守モードに設定されているか否かを判別する（ステップＳ３０３）。留守モードは、ユーザが機能キー４４、音量／選択キー４０および留守キー４３を操作することで設定される。
【００４１】
ステップＳ３０３で本体が留守モードに設定されていると判別された場合、ＣＩ信号が２回（あるいは５回）以上着信したか否かを判別し（ステップＳ３０７）、ＣＩ信号が２回（あるいは５回）以上着信した場合、フラッシュメモリ２６の容量をチェックして用件が録音可能であるか否かを判別する（ステップＳ３１０）。
【００４２】
用件が録音可能である場合、さらにファクシミリ画像のメモリ受信が可能であるか否かを判別する（ステップＳ３１１）。メモリ受信が可能である場合、第１のアウトゴーイングメッセージ（ＯＧＭ）を送出し、留守にしている旨およびファクシミリ送信が可能である旨を通知する（ステップＳ３１３）。
【００４３】
一方、メモリ受信が不可能である場合、第２のＯＧＭを送出し、用件の録音だけが可能である旨およびファクシミリ送信は後でやり直してもらう旨を通知する（ステップＳ３１４）。
【００４４】
また一方、ステップＳ３１０で用件の録音が不可能である場合、ファクシミリ画像のメモリ受信が可能であるか否かを判別し（ステップＳ３１２）、メモリ受信が可能である場合、第３のＯＧＭを送出し、ファクシミリ送信を促し、通話を望む相手には後で掛け直してもらう旨を通知する（ステップＳ３１５）。
【００４５】
さらに、用件の録音およびファクシミリ画像のメモリ受信のいずれも不可能である場合、第４のＯＧＭを送出し、もう一度掛け直してファクシミリ送信を希望する相手に再送信してもらう旨を通知する（ステップＳ３１６）。尚、ステップＳ３１０、Ｓ３１１、Ｓ３１２でフラッシュメモリ２６の容量がチェックされているが、ＣＰＵ１１は本処理に限らず、常時フラッシュメモリ２６の使用状況を監視している。また、ステップＳ３１３〜Ｓ３１６で送出されるＯＧＭは電話回線２９を通じて相手側に送出される。
【００４６】
一方、ステップＳ３０７でＣＩ信号が２回（あるいは５回）以上着信していないと判別された場合、あるいはステップＳ３０３で留守モードに設定されていない場合、自動受信モードに設定されているか否かを判別し（ステップＳ３０４）、自動受信モードにされていない場合、ＣＩ信号が１５回以上着信したか否かを判別する（ステップＳ３０５）。
【００４７】
ＣＩ信号が１５回以上着信している場合、ＣＰＵ１１はユーザが呼出に応答できない旨を通知する（ステップＳ３０６）。そして、前述のステップＳ３１０以降の処理に移行し、用件が録音可能であるか否か、あるいはメモリ受信が可能であるか否かによって異なるＯＧＭを送出する（ステップＳ３１３〜Ｓ３１６）。また、ステップＳ３０５でＣＩ信号が１５回以上着信していない場合、ステップＳ３０２の処理に戻る。
【００４８】
一方、ステップＳ３０４で自動受信モードに設定されている場合、ファクシミリ画像のメモリ受信が可能であるか否かを判別し（ステップＳ３０８）、メモリ受信が可能である場合、ＣＩ信号が２回以上着信しているか否かを判別する（ステップＳ３０９）。ＣＩ信号が２回以上着信していない場合、ステップＳ３０５以降の処理に移行する。また、ステップＳ３０８でメモリ受信が不可能である場合、ステップＳ３０６以降の処理に移行する。
【００４９】
さらに、ステップＳ３０９でＣＩ信号が２回以上着信している場合、ＣＰＵ１は本体の設定が自動受信モードであるか通話モードであるかを判別し（ステップＳ３１７）、自動受信モードである場合、さらにファクシミリ画像のメモリ受信が可能であるか否かを判別する（ステップＳ３１８）。メモリ受信が可能である場合、ＮＣＵ１４により電話回線２９をファクシミリ装置の本体側に切り換え（ステップＳ３１９）、ファクシミリ送信を促す旨および通話を希望する相手にしばらく待ってもらう旨のＯＧＭを送出し（ステップＳ３２０）、その後、ユーザを呼び出すためにモデム１３により擬似ＣＩ信号を電話回線２９を通して相手側に送出する（ステップＳ３２１）。
【００５０】
ＣＰＵ１１はＯＧＭを送出した後、相手側からファクシミリ送信であることを示す初期識別信号（ＣＮＧ信号）が送られてくるか否かを監視する（ステップＳ３２２）。ＣＰＵ１１がＮＣＵ１４によりＣＮＧ信号を検出した場合、ＯＧＭを停止してメモリ受信を行う（ステップＳ３３７、３３８）。一方、ＣＮＧ信号を検出しないうちに相手側がオンフックしたことを検出すると（ステップＳ３２３）、ＮＣＵ１４により回線を閉じる（ステップＳ３３２）。
【００５１】
一方、ステップＳ３２３で相手側がオンフックしない場合、擬似ＣＩ信号が７回以上検出されたか否かを判別する（ステップＳ３２４）。７回以上検出されていない場合、ステップＳ３２２からの処理を繰り返し、７回以上検出された場合、ステップＳ３０６の処理に移行する。
【００５２】
また、ステップＳ３１３〜Ｓ３１６でＯＧＭを送出した後、ＣＮＧ信号を検出したか否かを判別し（ステップＳ３２５）、ＣＮＧ信号を検出した場合、ファクシミリ画像のメモリ受信が可能であるか否かを判別する（ステップＳ３３６）。メモリ受信が可能である場合、ＣＰＵ１１はＯＧＭを停止してメモリ受信を行い（ステップＳ３３７、Ｓ３３８）、受信画像をフラッシュメモリ２６に記憶する。メモリ受信が完了すると、回線を閉じる（ステップＳ３３２）。
【００５３】
一方、ステップＳ３３６でメモリ受信が不可能である場合、ＯＧＭを停止して回線を閉じる（ステップＳ３３９、Ｓ３３２）。また、ステップＳ３２５でＣＮＧ信号が検出されない場合、ＯＧＭの送出が終了するまでＣＮＧ信号を監視し、ＣＮＧ信号が検出された場合、ステップＳ３３６の処理に移行する。ＯＧＭが終了するまでＣＮＧ信号が検出されない場合、用件の録音が可能であるか否かを判別する（ステップＳ３２７）。
【００５４】
用件の録音が可能である場合、用件の録音を開始する（ステップＳ３２８）。用件の録音の途中でも、ＣＰＵ１１はＣＮＧ信号を監視する（ステップＳ３２９）。ＣＰＵ１１が録音の終了を検出すると（ステップＳ３３３）、ＮＣＵ１４により回線を閉じる（ステップＳ３３２）。
【００５５】
ステップＳ３２９でＣＰＵ１１はＣＮＧ信号を検出すると、メモリ受信が可能であるか否かを判別し（ステップＳ３３０）、メモリ受信が不可能である場合、録音の終了を待って、ＮＣＵ１４により回線を閉じる（ステップＳ３３３、Ｓ３３２）。一方、メモリ受信が可能である場合、ＣＰＵ１１は用件の録音状態を解除してそのまま自動受信を実行し（ステップＳ３３１）、メモリ受信を終了するとＮＣＵ１４により回線を閉じる（ステップＳ３３２）。
【００５６】
また、ステップＳ３２７で用件の録音が不可能である場合、ＣＰＵ１１はメモリ受信が可能であるか否かを判別し（ステップＳ３３４）、メモリ受信が可能である場合、メモリ受信を行い（ステップＳ３３５）受信終了後にＮＣＵ１４により回線を閉じ（ステップＳ３３２）、メモリ受信が不可能である場合、そのままＮＣＵ１４により回線を閉じる（ステップＳ３３２）。ステップＳ３３２で回線が閉じられると、相手側からの着呼に対する一連の処理を終了する。
【００５７】
［ダイレクト受信動作］
つぎに、ファクシミリ装置のダイレクト受信動作について説明する。図７はファクシミリ装置のダイレクト受信動作の処理手順を示すフローチャートである。まず、相手側からの着呼があると、ＣＰＵ１１は自動受信モードの設定であるか通話モードの設定であるかを判別する（ステップＳ４０１）。自動受信モードに設定されている場合、ＣＮＧ信号を検出し（ステップＳ４０２）、ファクシミリ通信プロトコルの前手順を実行し（ステップＳ４０３）、受信したファクシミリ画像をフラッシュメモリ２６に記憶し（ステップＳ４０４）、ファクシミリ通信プロトコルの後手順でＮＣＵ１４により回線を閉じて（ステップＳ４１６）一連の処理を終了する。ここで、ファクシミリ通信プロトコルの前手順のＤＩＳ（ディジタル識別）信号でモデム１３により通信速度９６００ｂｐｓで通信可能であることを相手側に対して宣言する（ステップＳ４０３）。
【００５８】
ステップＳ４０１で通話モードに設定されている場合、電話回線を確立した後、ユーザはＦＡＸキー４７を押下して受信動作を開始する（ステップＳ４０５）。
【００５９】
カートリッジセンサ２７によりインクカートリッジがセットされているか否かを判別し（ステップＳ４０６）、インクカートリッジがセットされていない場合、ファクシミリ通信プロトコルの後手順で相手側に受信エラーを通知し、ＮＣＵ１４により回線を閉じる（ステップＳ４１６）。
【００６０】
一方、ステップＳ４０６でインクカートリッジがセットされている場合、さらに記録紙センサ２８により記録紙がセットされているか否かを判別する（ステップＳ４０７）。記録紙がセットされていない場合、自動受信モードに移行し、メモリ受信を行う（ステップＳ４０３、Ｓ４０４）。
【００６１】
一方、ステップＳ４０７で記録紙がセットされている場合、カートリッジセンサ２７により記録部２４に装着されているインクカートリッジの種類を判別する（ステップＳ４０８）。モノクロのインクカートリッジが装着されている場合、モデム１３によりファクシミリ通信プロトコルの前手順のＤＩＳ信号で相手側に対し通信速度４８００ｂｐｓで通信可能であることを宣言し（ステップＳ４０９）、カラーカートリッジが装着されている場合、同様の手順で相手側に対し通信速度２４００ｂｐｓで通信可能であることを宣言する（ステップＳ４１０）。
【００６２】
ここで、本体の設定モードあるいは装着されているインクカートリッジの種類によって相手側に宣言する通信速度が異なる理由を以下に示す。モノクロカートリッジとカラーカートリッジとでは、黒インクを突出するノズルの数が異なり、カラーカートリッジの方が少ない。したがって、カラーカートリッジの方が一度に記録できるデータ量が少ない。
【００６３】
また、ダイレクト受信では受信しながら記録するので、記録するスピードに比べて通信速度が速いと、相手側から送られてくる画像のデータ量が多くなりメモリ（ＤＲＡＭ２５）がオーバーフローを起こし、本体は次々に送られてくる画像を処理できなくなってしまう。モノクロカートリッジの場合、カラーカートリッジと比べて一度に記録できるデータ量が多く、ある程度の通信速度に対応できる。
【００６４】
さらに、メモリ受信の場合、記録せずにそのまま画像をフラッシュメモリ２６に記憶するので、本体が持っている最高の通信速度に対応できる。よって、本体の設定モードあるいはカートリッジの種類によって宣言する通信速度が異なってくるのである。
【００６５】
ファクシミリ通信プロトコルの前手順を終えると、受信したファクシミリ画像をＤＲＡＭ２５に記憶する処理を開始する（ステップＳ４１１）。手動受信ではファクシミリ画像を受信しながら記録するダイレクト受信を行うので、ＤＲＡＭ２５の容量はフラッシュメモリ２６の容量に比べて小さく設定されている。本実施の形態では、ＤＲＡＭ２５およびフラッシュメモリ２６は同じ４Ｍバイトの記憶容量を有するが、フラッシュメモリ２６ではそのほぼ全てがファクシミリ画像の記憶領域に割り当てられるのに対し、ＤＲＡＭ２５ではその一部だけがファクシミリ画像の記憶領域に割り当てられるだけなので、フラッシュメモリ２６に比べて容量が小さくなっている。
【００６６】
受信後にＤＲＡＭ２５に記憶されるファクシミリ画像が所定量に達すると（ステップＳ４１２）、記憶されたファクシミリ画像を記録部２４に送り、記録部２４により記録紙に記録する（ステップＳ４１３）。ファクシミリ画像が記録部２４に送られると、ＤＲＡＭ２５は空き状態になるので、再び相手側から送られてくるファクシミリ画像を受信してＤＲＡＭ２５に記憶する。これらの処理は相手側から送られてくるファクシミリ画像が全て受信かつ記録されるまで繰り返される（ステップＳ４１４）。
【００６７】
そして、全ページの記録が終了すると通信を終了し、ＮＣＵ１４により回線を閉じる（ステップＳ４１６）。また、受信したファクシミリ画像の記録中に記録紙センサ２８により記録紙が無くなったことが検出された場合（ステップＳ４１５）、受信エラーを相手側に通知してＮＣＵ１４により回線を閉じる（ステップＳ４１６）。これにより、ダイレクト受信の一連の処理を終了する。
【００６８】
尚、本実施の形態ではステップＳ４０６でインクカートリッジがセットされていない場合、そのまま回線を閉じたが、回線を閉じる代わりにフラッシュメモリ２６の空き容量に余裕がある場合、自動受信を行い、記録できなかった分をフラッシュメモリ２６に記憶した旨をユーザに通知してもよい。
【００６９】
［メモリ受信後の記録動作］
つぎに、メモリ受信したファクシミリ画像を記録あるいは消去する処理について説明する。新しくメモリ受信されたファクシミリ画像がある場合、その旨および受信したファクシミリ画像の件数が表示部２３に表示されるので、ユーザは特別の操作なしでメモリ受信したことを知ることができる。図８はメモリ受信されたファクシミリ画像の表示処理手順を示すフローチャートである。
【００７０】
ＣＰＵ１１は、フラッシュメモリ２６に受信したファクシミリ画像（ＦＡＸ）が記憶されているか否かを判別し（ステップＳ４５１）、受信したファクシミリ画像が記憶されている場合、未記録のページがあるか否かを判別する（ステップＳ４５２）。ＣＰＵ１１はメモリ受信したときに受信したファクシミリ画像に対応するポインタを設定しておき、このポインタをチェックすることにより未記録のページがあるか否かを判別する。
【００７１】
未記録のページがない場合、処理を終了し、未記録ページがある場合、ＣＰＵ１１はＦＡＸキー４７を点滅させる（ステップＳ４５３）。
【００７２】
そして、未記録のページが記録されると（ステップＳ４５４）、ＦＡＸキー４７の点滅を終了させ（ステップＳ４５５）、記録されない場合、ＦＡＸキー４７を点滅させたままにする（ステップＳ４５３）。
【００７３】
尚、未再生の用件が存在する場合も同様の手順により、留守キー４３を点滅させるようにしてユーザに通知するようにしてもよい。
【００７４】
つづいて、新しくメモリ受信されたファクシミリ画像がある場合、その旨および受信したファクシミリ画像の件数を表示部２３に表示する処理について説明する。図９、図１０、図１１および図１２はメモリ受信されたファクシミリ画像の記録および消去処理手順を示すフローチャートである。
【００７５】
メモリ受信されていることを知らされ、ユーザがそれを記録したい場合について示す。ユーザにより操作部２２のＦＡＸキー４７が押下されたか否かを判別する（ステップＳ５０１）。
【００７６】
ＦＡＸキー４７が押下された場合、メモリ受信したファクシミリ画像があるか否かを判別し（ステップＳ５０２）、ファクシミリ画像がない場合、その旨を表示部２３あるいはスピーカ１７によりユーザに通知する（ステップＳ５０３）。
【００７７】
ＦＡＸキー４７が押下されてフラッシュメモリ２６にファクシミリ画像が記憶されている場合、記憶されているファクシミリ画像をすべて一括で記録するか、所望のファクシミリ画像を検索して記録するかをユーザが選択できるように表示部２３に表示する（ステップＳ５０４）。例えば、「プリント    ＊オール    ＃ケンサク」が表示部２３に表示される。
【００７８】
ステップＳ５０４で一括記録がユーザによって操作部２２で選択されると、まだ１度も記録されていない未記録のファクシミリ画像があるか否かを検索する（ステップＳ５０５）。記憶されているファクシミリ画像が全て１度以上記録されている場合、新しいファクシミリ画像がない旨を表示部２３あるいはスピーカ１７で通知し、その後、全てのファクシミリ画像を記録する旨を通知してから記録部２４で全て記録する（ステップＳ５０６）。
【００７９】
記録動作が終了すると、記録した全てのファクシミリ画像を消去してよいか否かを表示部２３でユーザに問い合わせ（ステップＳ５０７）、ユーザにより操作部２２で消去モードが選択されると（例えば、消去キー４１の押下）、ＣＰＵ１１は全てのファクシミリ画像を消去して（ステップＳ５０８）一連の処理を終了する。また、ステップＳ５０７での問い合わせに対して消去モードを選択しない場合、例えば、消去キー４１以外のキーがユーザにより押下された場合、ファクシミリ画像を消去することなく処理を終了する。
【００８０】
一方、ステップＳ５０５で未記録のファクシミリ画像がある場合、新しいファクシミリ画像を出力する旨を表示部２３に表示してそのファクシミリ画像の記録動作だけを行う前に、記録紙センサ２８により記録紙がセットされているか否かを判別し（ステップＳ５０９）、記録紙がセットされている場合、１ページ目のファクシミリ画像を記録する（ステップＳ５１０）。つづいて、次ページのファクシミリ画像があるか否かを判別し（ステップＳ５１１）、次ページのファクシミリ画像があり記録紙もある場合、ステップＳ５１０で次ページのファクシミリ画像を記録する。ステップＳ５１１で次ページのファクシミリ画像がない場合、ステップＳ５０７の処理に移行し、ファクシミリ画像を消去してよいか否かを表示部２３でユーザに問い合わせ、ユーザにより操作部２２で消去モードが選択されると、ＣＰＵ１１はステップＳ５１０で記録したファクシミリ画像を消去して（ステップＳ５０８）一連の処理を終了する。そして、記録動作を終了し、記録の終了をユーザに通知する。
【００８１】
一方、ステップＳ５０９で記録紙がセットされていない場合、ユーザに記録紙をセットするように促すメッセージを表示部２３あるいはスピーカ１７で通知し、さらに記録されていないファクシミリ画像のページ数、最大サイズを必要な記録紙の枚数、サイズであるとして表示部２３に表示する（ステップＳ５１２）。この場合、ＣＰＵ１１は、フラッシュメモリ２６に記憶されたファクシミリ画像をチェックすることにより、記録されていないファクシミリ画像のページ数、最大サイズを検出する。
【００８２】
ステップＳ５１２での表示にしたがって、ユーザが記録紙をセットし、記録紙がセットされたことが検出されると（ステップＳ５１３）、ステップＳ５１０に移行して未記録のファクシミリ画像を記録する。記録紙がセットされていない場合、記録紙をセットする旨をユーザに表示し（ステップＳ５１４）、記録紙をセットする旨をユーザに表示してから所定時間Ｔ１（本実施形態では１分）が経過しても記録紙がセットされない場合、エラー発生とみなし記録動作を終了する。もう一度記録動作を行う場合、最初から操作を行う必要がある。
【００８３】
また、記録の途中で記録紙が無くなった場合、記録紙の追加を要求する旨が表示部２３に表示される（ステップＳ５１４）。
【００８４】
ここでは、未記録のファクシミリ画像として、１ページ全部が記録されていないファクシミリ画像の他、記録中に何らかの原因で１ページの途中までしか記録されなかったファクシミリ画像も含むこととする。
【００８５】
また、ステップＳ５０４で一括記録が選択されなかった場合、受信されているファクシミリ画像の中からユーザが選択して記録する検索記録処理に移行する。
【００８６】
ステップＳ５０４で検索記録が選択されると、フラッシュメモリ２６に最初に蓄積されたファクシミリ画像の受信日、受信時刻を表示する（ステップＳ５１６）。例えば、「１ケン  １０／１８  １０：２６」が表示部２３に表示される。ここで、１件目のファクシミリ画像が、ユーザの所望のファクシミリ画像でない場合、ユーザにより押下されるキーを判別する（ステップＳ５１７）。セットキー４８あるいはＦＡＸキー４７が押下されると後述するステップＳ５２２に移行し、セットキー４８あるいはＦＡＸキー４７が押下されず、音量／選択キー４０が押下されると検索処理を行い（ステップＳ５１８）、次のファクシミリ画像を表示する（ステップＳ５１９）。
【００８７】
ファクシミリ画像が複数蓄積されており、所望のファクシミリ画像を検索する場合、この音量／選択キー４０を所望のファクシミリ画像が表示されるまで連続して押下する（ステップＳ５１８〜Ｓ５２０）。所望のファクシミリ画像が検索され、セットキー４８あるいはＦＡＸキー４７が押下されると、ユーザに対して所望のファクシミリ画像を記録するか消去するかの選択を促す旨を表示する（ステップＳ５２２）。
【００８８】
ここで、記録あるいは消去のどちらも選択せず、ユーザにより音量／選択キー４０が押下されると（ステップＳ５２３）、所望のファクシミリ画像のページ数、サイズを表示する（ステップＳ５２４）。
【００８９】
ユーザにより音量／選択キー４０が押下されると（ステップＳ５２５）、相手側の電話番号を表示する（ステップＳ５２６）。この電話番号はファクシミリ通信プロトコルのＴＳＩ（送信端末識別）信号で送信されてきたものであり、相手側からＴＳＩ信号で電話番号が送られてこない場合、「ソウシン  サレテイマセン」と表示する。
【００９０】
この操作により、所望のファクシミリ画像の選択が容易になる。電話番号の表示後、音量／選択キー４０が押下されると、再びステップＳ５２２の処理に戻る。
【００９１】
ステップＳ５２３で音量／選択キー４０が押下されず、記録モードが選択されると（ステップＳ５２８）、ＣＰＵ１１は所望のファクシミリ画像が複数ページであるか否かを判別し（ステップＳ５２９）、１ページだけである場合、ファクシミリ画像を記録して（ステップＳ５３７）、一連の処理を終了する。
【００９２】
一方、ステップＳ５２９で複数ページが存在する場合、その中で記録したいページが指定されたか否かを判別する（ステップＳ５３０）。ページが指定されない場合、ステップＳ５３７の記録動作に移行し、ユーザによりページが指定される場合、記録開始ページと記録終了ページが操作部２２から入力される（ステップＳ５３１）。
【００９３】
そして、消去キー４１および機能キー４４が押下されず、セットキー４８あるいはＦＡＸキー４７が押下されると、ページ入力にミスがなければ記録動作を行う（ステップＳ５３２〜Ｓ５３５、ステップＳ５３７）。
【００９４】
ステップＳ５３５でページ入力にミスがある場合、セットキー４８あるいはＦＡＸキー４７が押下された時点でエラー音をスピーカ１７から発してユーザに警告し（ステップＳ５３６）、その後、ステップＳ５３０の処理に戻ってページ指定からやり直す。
【００９５】
また、セットキー４８あるいはＦＡＸキー４７が押下されるまでに消去キー４１が押下されると（ステップＳ５３２）、ステップＳ５３０の処理に戻り、機能キー４４が押下されると（ステップＳ５３３）、ステップＳ５１６の処理に戻る。
【００９６】
一方、ステップＳ５２８で消去モードが選択されると、ユーザに対して消去モードである旨を表示する（ステップＳ５３８）。そして、機能キー４４が押下されたか否かを判別し（ステップＳ５３９）、機能キー４４が押下されると、ステップＳ５１６の処理に移行する。機能キー４４が押下されない場合、ストップキー４６が押下されたか否かを判別し（ステップＳ５４０）、ストップキー４６が押下されると一連の処理を終了する。
【００９７】
ユーザにより消去モードが選択されたか否かを判別し（ステップＳ５４１）、消去モードが選択されると（例えば、消去キー４１の押下）、「ショウキョ  シマシタ」と表示部２３に表示して（ステップＳ５４３）ステップＳ５１６の処理に移行する。
【００９８】
一方、機能キー４４、ストップキー４６が押下されず、また消去モードの選択が確認できずに所定時間Ｔ２（例えば、１分）が経過すると、一連の処理を終了する。これにより、メモリ受信したファクシミリ画像の記録動作を終了する。
【００９９】
［用件の再生および消去処理］
つぎに、留守番電話の用件の再生および消去について説明する。図１３および図１４は留守番電話の用件の再生および消去の処理手順を示すフローチャートである。まず、録音された用件を再生するために、ユーザにより保留／用件再生キー４２が押下されたか否かを判別する（ステップＳ６０１）。保留／用件再生キー４２が押下されると、用件が録音されているか否かを判別し（ステップＳ６０２）、用件が録音されている場合、全ての用件と録音された日時を再生する（ステップＳ６０４）。一方、用件が録音されていない場合、その旨をスピーカ１７あるいは表示部２３でユーザに通知する（ステップＳ６０３）。
【０１００】
また、ステップＳ６０１で保留／用件再生キー４２が押下されない場合、留守４３キーが押下されたか否かを判別し（ステップＳ６０５）、留守４３キーが押下された場合、本体が留守モードに設定されていたか否かを判別し（ステップＳ６０６）、留守モードに設定されていた場合、その操作によって留守モードを解除する（ステップＳ６０７）。
【０１０１】
フラッシュメモリ２６に録音された用件の中に未再生の用件があるか否かを判別し（ステップＳ６０８）、未再生の用件がある場合、ＣＰＵ１１は未再生の用件にポインタをセットし（ステップＳ６０９）、ポインタが設定された用件を再生する（ステップＳ６１１）。未再生の用件が再生されると、用件再生済みであることを示すフラグをセットする（ステップＳ６１２）。
【０１０２】
この用件の再生中に消去キー４１が押下されると（ステップＳ６１３）、用件の再生を中断し（ステップＳ６１４）、ユーザに用件の消去をしてもよいか否かを問い合わせる（ステップＳ６１５）。消去してもよい場合、再生を中断した用件を消去し（ステップＳ６１６）、消去しない場合、そのままフラッシュメモリ２６に用件を残す。
【０１０３】
ＣＰＵ１１は次の用件があるか否かを判別し（ステップＳ６１７）、次の用件がある場合、ステップＳ６１１の処理に戻って再生処理を繰り返し、次の用件がない場合、一連の処理を終了する。
【０１０４】
一方、用件の再生中に消去キー４１が押下されない場合（ステップＳ６１３）、用件が終了するまで再生を行い（ステップＳ６１８）、再生が終了すると、ステップＳ６１７に移行する。
【０１０５】
尚、本実施の形態では、留守キー４３が押下されたときに未再生の用件を再生し、保留／用件再生キー４２が押下されたときに全ての用件を再生しているが、保留／用件再生キー４２が押下されたときに未再生の用件を再生し、留守キー４３が押下されたときに全ての用件を再生するようにしてもよい。
【０１０６】
このように、用件の再生には２通りの方法があり、全用件を一度に再生したり、未再生の用件だけを再生するなどユーザの要求に応じた再生方法を選択できる。また、誤って消去キー４１が押下されても用件を消去するか否かを確認するので、ユーザの操作ミスにも対応できる。
【０１０７】
［画像および用件の一括消去処理］
つぎに、メモリ受信したファクシミリ画像および用件の消去を一括で行う方法について示す。図１５および図１６はメモリ受信したファクシミリ画像および用件の一括消去処理手順を示すフローチャートである。
【０１０８】
前述したＯＧＭの送出パターンがフラッシュメモリ２６の空き容量に応じて異なる場合と同様に、ＣＰＵ１１によってチェックされたフラッシュメモリ２６の使用状況に応じて一括消去モードでは異なる処理が行われる。
【０１０９】
まず、操作部２２の消去キー４１が押下されると（ステップＳ７０１）、ＣＰＵ１１はフラッシュメモリ２６に記憶されたファクシミリ画像あるいはフラッシュメモリ２６に録音された用件があるか否かを判別する（ステップＳ７０２）。用件が録音されている場合、あるいはファクシミリ画像が記憶されている場合、どちらを消去するかを促す旨を表示部２３で通知し、ユーザのキー入力により用件あるいはファクシミリ画像のいずれの一括消去モードであるかを判別する（ステップＳ７０４）。
【０１１０】
そして、用件の一括消去モードが選択された場合、前回と同じ用件の一括消去モードが選択されたか否かを判別する（ステップＳ７０５）。始めて用件の一括消去モードが選択された場合、ユーザに対して用件を一括消去するか否かを確認する（ステップＳ７０６）。表示部２３に確認のメッセージが表示され、ユーザが消去してもよい旨の入力を操作部２２で行うと、一括で用件を消去する（ステップＳ７０７）。用件が消去された場合、用件を消去した旨をユーザに通知する。一方、用件の消去を取り消す入力を操作部２２で行うと、用件の一括消去モードは解除される。そして、ファクシミリ画像がフラッシュメモリ２６に記憶されているか否かを判別し（ステップＳ７０８）、記憶されていない場合、一括消去モードを終了する。
【０１１１】
一方、ステップＳ７０４でファクシミリ画像の一括消去モードが選択された場合、用件の一括消去モードと同様の処理を行う。すなわち、ファクシミリ画像の一括消去モードが選択された場合、前回と同じファクシミリ画像の一括消去モードが選択されたか否かを判別する（ステップＳ７１０）。始めてファクシミリ画像の一括消去モードである場合、ユーザに対してファクシミリ画像を一括消去するか否かを確認する（ステップＳ７１１）。表示部２３に確認のメッセージが表示され、ユーザが消去してもよい旨の入力（例えば、消去キー４１の押下）を操作部２２で行うと、一括でファクシミリ画像を消去する（ステップＳ７１２）。ファクシミリ画像が消去された場合、ファクシミリ画像を消去した旨をユーザに通知する。一方、一括消去モードを取り消す入力（例えば、消去キー４１以外のキーの押下）を操作部２２で行うと、ファクシミリ画像の一括消去モードは解除される。そして、用件がフラッシュメモリ２６に記憶されているか否かを判別し（ステップＳ７１３）、記憶されていない場合、一括消去モードを終了する。
【０１１２】
また、ステップＳ７０８でファクシミリ画像がフラッシュメモリ２６に記憶されている場合、あるいはステップＳ７１３で用件がフラッシュメモリ２６に録音されている場合、ステップＳ７０３の処理に戻るので、前回と異なる一括消去モードを選択すると（ステップＳ７０５、Ｓ７１０）、前回と異なるモードの一括消去処理を行う。
【０１１３】
一括消去モードで前回と同じモードを選択した場合、例えば用件を一括消去した後にもう一度用件の一括消去モードを選択した場合、用件は既に一括消去されている旨を表示部２３あるいはスピーカ１７でユーザに通知し（ステップＳ７０９）、再びステップＳ７０４の処理に戻る。ファクシミリ画像の場合も同様である（ステップＳ７１４）。
【０１１４】
一方、ステップＳ７０２で用件が録音されておらずかつファクシミリ画像が記憶されていない場合、一括消去モードを終了する。
【０１１５】
また、ステップＳ７０３で用件あるいはファクシミリ画像の一方しか録音あるいは記憶されていない場合、用件の一括消去モードであるか、あるいはファクシミリ画像の一括消去モードであるかを判別し（ステップＳ７１５、Ｓ７１８）、いずれの一括消去モードでない場合、処理を終了する。
【０１１６】
用件あるいはファクシミリ画像の一括消去モードである場合、消去モードの選択の確認をユーザに促し（ステップＳ７１６、Ｓ７１９）、確認した上で（例えば、消去キー４１の押下）一括消去する（ステップＳ７１７）。用件あるいはファクシミリ画像が一括消去された場合、消去した旨をユーザに通知する。ステップＳ７１７で一括消去しない場合（例えば、消去キー４１以外のキーの押下）、一括消去モードを解除する。
【０１１７】
［メモリ残量チェック］
前述したように、ＣＰＵ１１はフラッシュメモリ２６の使用状況を常時監視しているので、ユーザに対して常にフラッシュメモリ２６の使用状況を通知することが可能である。図１７はフラッシュメモリ２６の使用状況を通知する処理手順を示すフローチャートである。
【０１１８】
予め、フラッシュメモリ２６に用件を録音できる最大録音件数（本実施形態では２０件）を設定しておく。また、ファクシミリ画像をメモリ受信できる最大受信件数（本実施形態では２０件）あるいは最大受信ページ数（本実施形態では２０ページ）を設定しておく。さらに、フラッシュメモリ２６の物理的な容量を示すメモリブロック数（本実施形態では３２ブロック）を最大録音件数、最大受信件数あるいは最大受信ページ数に関係なく設定しておく。
【０１１９】
ＣＰＵ１１は、フラッシュメモリ２６の残量を、用件録音可能件数、ファクシミリ画像受信可能件数、ファクシミリ画像受信可能ページ数、残メモリブロック数の４つの観点でチェックする。
【０１２０】
まず、ＣＰＵ１１は、録音可能件数が３件以下であるか、受信可能件数が３件以下であるか、受信可能ページ数が３ページ以下であるか、あるいはメモリブロック数が６ブロック以下であるかの４つの条件のうち１つでも満たしているか否かを判別し（ステップＳ８０１、Ｓ８０２、Ｓ８０３、Ｓ８０４）、４つの条件のうち１つでも満たしている場合、メモリ残量が少なくなっている旨を、表示部２３あるいはスピーカ１７でユーザに警告する（ステップＳ８０６）。
【０１２１】
そして、フラッシュメモリ２６内の用件あるいはファクシミリ画像が消去されたか否かを判別し（ステップＳ８０７）、消去されていない場合、ステップＳ８０６で警告を継続し、消去された場合、ステップＳ８０１の処理に戻る。上記４つの条件のどれも満たさない場合、ユーザに警告せず（ステップＳ８０５）、処理を終了する。
【０１２２】
［用件録音処理］
留守モードに設定する場合、フラッシュメモリ２６の使用状況に応じたメッセージを送出してユーザに警告する処理について説明する。
【０１２３】
図１８は留守モードの設定処理手順を示すフローチャートである。ユーザが留守モードに設定するために留守キー４３を押下すると（ステップＳ９０１）、ＣＰＵ１１はフラッシュメモリ２６の残量をチェックする（ステップＳ９０２）。
【０１２４】
用件が録音可能で、かつ録音可能件数が４件以上である場合（ステップＳ９０３）、第１のメッセージを送出し、留守モードにセットされたことをスピーカ１７から音声で通知する（ステップＳ９０５）。一方、録音可能件数が４件未満の場合、第２のメッセージを送出し、まもなくメモリ容量が一杯になり不要な用件あるいはファクシミリ画像を消去するようにスピーカ１７から警告する（ステップＳ９０４）。
【０１２５】
また、ステップＳ９０２で用件が録音できないと判別された場合、第３のメッセージを送出し、新しい用件を録音できない旨、および不要な用件あるいはファクシミリ画像を消去するようにスピーカ１７から警告する（ステップＳ９０６）。
【０１２６】
ステップＳ９０４、Ｓ９０５、Ｓ９０６でユーザに対してメッセージを送出した後、留守モード設定時に相手側に送出する応答メッセージをスピーカ１７から再生し（ステップＳ９０７）、留守モードの設定を完了する（ステップＳ９０８）。
【０１２７】
尚、ステップＳ５０７、Ｓ５４１、Ｓ７１１、Ｓ７１９では、ファクシミリ画像を消去してよいか否かを表示部２３でユーザに問い合わせていたが、スピーカ１７で問い合わせてもよい。また、問い合わせ回数は１回に限らず、複数回行ってもよく、ユーザが複数回の問い合わせに対して各々消去モードを選択した場合に消去を行うようにしてもよい。これにより、ユーザの意思を一層明確にできる。
【０１２８】
また、ステップＳ５０７、Ｓ７１１、Ｓ７１９での問い合わせに対してユーザが所定時間何もキーを押下しない場合、消去モードが選択されなかったと判断するようにしてもよい。
【０１２９】
さらに、本発明は複数の機器から構成されるシステムに適用してもよいし、１つの機器からなる装置に適用してもよい。また、本発明はシステムあるいは装置にプログラムを供給することによって達成される場合にも適用できることはいうまでもない。この場合、本発明を達成するためのソフトウェアによって表されるプログラムを格納した記憶媒体をシステムあるいは装置に読み出すことによってそのシステムあるいは装置が本発明の効果を享受することが可能となる。
【０１３０】
【発明の効果】
本発明の請求項１に記載のファクシミリ装置および請求項２に記載の記録方法によれば、メモリに蓄積した画像情報の中で、未記録画像情報を一括記録するか記録済みの画像情報を一括して記録するかをユーザの意思により選択できる。
【図面の簡単な説明】
【図１】実施の形態におけるファクシミリ装置の構成を示すブロック図である。
【図２】操作部２２および表示部２３の外観を示す図である。
【図３】着呼時におけるファクシミリ装置の動作処理手順を示すフローチャートである。
【図４】図３につづき着呼時におけるファクシミリ装置の動作処理手順を示すフローチャートである。
【図５】図３および図４につづき着呼時におけるファクシミリ装置の動作処理手順を示すフローチャートである。
【図６】図３、図４および図５につづき着呼時におけるファクシミリ装置の動作処理手順を示すフローチャートである。
【図７】ファクシミリ装置のダイレクト受信動作の処理手順を示すフローチャートである。
【図８】メモリ受信されたファクシミリ画像の表示処理手順を示すフローチャートである。
【図９】メモリ受信されたファクシミリ画像の記録および消去処理手順を示すフローチャートである。
【図１０】図９につつきメモリ受信されたファクシミリ画像の記録および消去処理手順を示すフローチャートである。
【図１１】図９および図１０につづきメモリ受信されたファクシミリ画像の記録および消去処理手順を示すフローチャートである。
【図１２】図９、図１０および図１１につづきメモリ受信されたファクシミリ画像の記録および消去処理手順を示すフローチャートである。
【図１３】留守番電話の用件の再生および消去の処理手順を示すフローチャートである。
【図１４】図１３につづき留守番電話の用件の再生および消去の処理手順を示すフローチャートである。
【図１５】メモリ受信したファクシミリ画像および用件の一括消去処理手順を示すフローチャートである。
【図１６】図１５につづきメモリ受信したファクシミリ画像および用件の一括消去処理手順を示すフローチャートである。
【図１７】フラッシュメモリ２６の使用状況を通知する処理手順を示すフローチャートである。
【図１８】留守モードの設定処理手順を示すフローチャートである。
【符号の説明】
１１  ＣＰＵ
１２  ＲＯＭ
１７  スピーカ
２２  操作部
２３  表示部
２４  記録部
２６  フラッシュメモリ
４１  消去キー
【図１】
0003706700.tif 000002
【図２】
0003706700.tif 000003
【図３】
0003706700.tif 000004
【図４】
0003706700.tif 000005
【図５】
0003706700.tif 000006
【図６】
0003706700.tif 000007
【図７】
0003706700.tif 000008
【図８】
0003706700.tif 000009
【図９】
0003706700.tif 000010
【図１０】
0003706700.tif 000011
【図１１】
0003706700.tif 000012
【図１２】
0003706700.tif 000013
【図１３】
0003706700.tif 000014
【図１４】
0003706700.tif 000015
【図１５】
0003706700.tif 000016
【図１６】
0003706700.tif 000017
【図１７】
0003706700.tif 000018
【図１８】
0003706700.tif 000019